(57)【特許請求の範囲】
【請求項１】
集合住宅の防災センターなどに設置された住棟受信機と、集合住宅の各住戸内に設置され前記住棟受信機とそれぞれ接続された住戸用受信機と、前記住棟受信機内に設けられた警報音声信号発生手段及び警報制御信号発生手段と、前記住戸用受信機内に設けられた内部音声信号発生手段、前記警報音声信号発生手段からの音声信号と前記内部音声信号発生手段からの音声信号を選択的に切り換える音声信号切換手段、及び音声信号により鳴動して音声警報音を発するスピーカとを備え、
前記住棟受信機は、前記住戸用受信機の１つから火災報知信号を受信したとき火元に近い選択された住戸用受信機に対しては警報音声信号を、他の住戸用受信機に対しては警報制御信号をそれぞれ送信し、前記警報音声信号を受信した住戸用受信機は、前記音声信号切換手段を前記警報音声信号の入力端子側に接続し、前記住棟受信機からの警報音声信号による音声警報音を前記スピーカから発し、前記警報制御信号を受信した住戸用受信機は、前記音声信号切換手段を前記内部音声信号発生手段側に接続し、自己の住戸用受信機の警報音声信号による音声警報音を前記スピーカから発することを特徴とする自動火災報知システム。
【請求項２】
集合住宅の防災センターなどに設置された住棟受信機と、集合住宅の各住戸内に設置され前記住棟受信機と中継器を経由してそれぞれ接続された住戸用受信機と、前記住棟受信機内に設けられた警報音声信号発生手段及び警報制御信号発生手段と、前記住戸用受信機内に設けられた内部音声信号発生手段、前記警報音声信号発生手段からの音声信号と前記内部音声信号発生手段からの音声信号を選択的に切り換える音声信号切換手段、及び音声信号により鳴動して音声警報音を発するスピーカとを備え、
前記住棟受信機は、前記住戸用受信機の１つから火災報知信号を受信したとき火元に近い選択された住戸用受信機に対しては警報音声信号を、他の住戸用受信機に対しては警報制御信号をそれぞれ送信し、前記警報音声信号を受信した住戸用受信機は、前記音声信号切換手段を前記警報音声信号の入力端子側に接続し、前記住棟受信機からの警報音声信号による音声警報音を前記スピーカから発し、前記警報制御信号を受信した住戸用受信機は、前記音声信号切換手段を前記内部音声信号発生手段側に接続し、自己の住戸用受信機の警報音声信号による音声警報音を前記スピーカから発することを特徴とする自動火災報知システム。
【請求項３】
集合住宅の防災センターなどに設置された住棟受信機と、集合住宅の各住戸内に設置され前記住棟受信機とそれぞれ接続された住戸用受信機と、前記住棟受信機内に設けられた警報音声信号発生手段及び警報制御信号発生手段と、前記住戸用受信機内に設けられた内部音声信号発生手段、前記警報音声信号発生手段からの音声信号と前記内部音声信号発生手段からの音声信号を選択的に切り換える音声信号切換手段、及び音声信号により鳴動して音声警報音を発するスピーカとを備え、
前記住棟受信機は、前記住戸用受信機の１つから火災報知信号を受信したとき火元に近い選択された住戸用受信機に対しては警報音声信号と警報制御信号の両方を、他の住戸用受信機に対しては警報制御信号のみをそれぞれ送信し、前記警報音声信号及び警報制御信号を受信した住戸用受信機は、前記音声信号切換手段を前記警報音声信号の入力端子側に接続し、前記住棟受信機からの警報音声信号による音声警報音を前記スピーカから発し、前記警報制御信号のみを受信した住戸用受信機は、前記音声信号切換手段を前記内部音声信号発生手段側に接続し、自己の住戸用受信機の警報音声信号による音声警報音を前記スピーカから発することを特徴とする自動火災報知システム。
【請求項４】
集合住宅の防災センターなどに設置された住棟受信機と、集合住宅の各住戸内に設置され前記住棟受信機と中継器を経由してそれぞれ接続された住戸用受信機と、前記住棟受信機内に設けられた警報音声信号発生手段及び警報制御信号発生手段と、前記住戸用受信機内に設けられた内部音声信号発生手段、前記警報音声信号発生手段からの音声信号と前記内部音声信号発生手段からの音声信号を選択的に切り換える音声信号切換手段、及び音声信号により鳴動して音声警報音を発するスピーカとを備え、
前記住棟受信機は、前記住戸用受信機の１つから火災報知信号を受信したとき火元に近い選択された住戸用受信機に対しては警報音声信号と警報制御信号の両方を、他の住戸用受信機に対しては警報制御信号のみをそれぞれ送信し、前記警報音声信号及び警報制御信号を受信した住戸用受信機は、前記音声信号切換手段を前記警報音声信号の入力端子側に接続し、前記住棟受信機からの警報音声信号による音声警報音を前記スピーカから発し、前記警報制御信号のみを受信した住戸用受信機は、前記音声信号切換手段を前記内部音声信号発生手段側に接続し、自己の住戸用受信機の警報音声信号による音声警報音を前記スピーカから発することを特徴とする自動火災報知システム。
【請求項５】
集合住宅の防災センターなどに設置された住棟受信機と、集合住宅の各住戸内に設置され前記住棟受信機とそれぞれ接続された住戸用受信機と、前記住棟受信機内に設けられた警報音声信号発生手段、音声制御信号発生手段及び警報制御信号発生手段と、前記住戸用受信機内に設けられ、前記警報音声信号発生手段からの警報音声信号を入力する音声信号入力手段、前記音声制御信号発生手段からの音声制御信号を入力する音声制御信号入力手段、前記警報制御信号発生手段からの警報制御信号を入力する警報制御信号入力手段、内部音声信号発生手段、前記警報音声信号発生手段からの音声信号と前記内部音声信号発生手段からの音声信号を選択的に切り換える音声信号切換手段、前記音声信号により鳴動して音声警報音を発するスピーカ、及び住戸用受信機の前記各手段を制御する制御手段とを備え、
前記住棟受信機は、前記住戸用受信機の１つから火災報知信号を受信したとき火元に近い選択された住戸用受信機に対しては警報音声信号及びこれに連動する音声制御信号を、他の住戸用受信機に対しては警報制御信号のみをそれぞれ送信し、前記警報音声信号及び音声制御信号を受信した住戸用受信機では、前記制御手段が前記音声制御信号入力手段への音声制御信号の入力を認識することで、前記音声信号切換手段を前記音声信号入力手段側に接続し、前記住棟受信機からの警報音声信号による音声警報音を前記スピーカから発し、前記警報制御信号のみを受信した住戸用受信機では、前記制御手段が前記警報制御信号入力手段への警報制御信号の入力と前記音声制御信号入力手段への音声制御信号の非入力を認識することで、前記音声信号切換手段を前記内部音声信号発生手段側に接続し、自己の住戸用受信機の警報音声信号による音声警報音を前記スピーカから発することを特徴とする自動火災報知システム。
【請求項６】
集合住宅の防災センターなどに設置された住棟受信機と、集合住宅の各住戸内に設置され前記住棟受信機と中継器を経由してそれぞれ接続された住戸用受信機と、前記住棟受信機内に設けられた警報音声信号発生手段、音声制御信号発生手段及び警報制御信号発生手段と、前記住戸用受信機内に設けられ、前記警報音声信号発生手段からの警報音声信号を入力する音声信号入力手段、前記音声制御信号発生手段からの音声制御信号を入力する音声制御信号入力手段、前記警報制御信号発生手段からの警報制御信号を入力する警報制御信号入力手段、内部音声信号発生手段、前記警報音声信号発生手段からの音声信号と前記内部音声信号発生手段からの音声信号を選択的に切り換える音声信号切換手段、前記音声信号により鳴動して音声警報音を発するスピーカ、及び住戸用受信機の前記各手段を制御する制御手段とを備え、
前記住棟受信機は、前記住戸用受信機の１つから火災報知信号を受信したとき火元に近い選択された住戸用受信機に対しては警報音声信号及びこれに連動する音声制御信号を、他の住戸用受信機に対しては警報制御信号のみをそれぞれ送信し、前記警報音声信号及び音声制御信号を受信した住戸用受信機では、前記制御手段が前記音声制御信号入力手段への音声制御信号の入力を認識することで、前記音声信号切換手段を前記音声信号入力手段側に接続し、前記住棟受信機からの警報音声信号による音声警報音を前記スピーカから発し、前記警報制御信号のみを受信した住戸用受信機では、前記制御手段が前記警報制御信号入力手段への警報制御信号の入力と前記音声制御信号入力手段への音声制御信号の非入力を認識することで、前記音声信号切換手段を前記内部音声信号発生手段側に接続し、自己の住戸用受信機の警報音声信号による音声警報音を前記スピーカから発することを特徴とする自動火災報知システム。
【請求項７】
集合住宅の防災センターなどに設置された住棟受信機と、集合住宅の各住戸内に設置され前記住棟受信機とそれぞれ接続された住戸用受信機と、前記住棟受信機内に設けられた警報音声信号発生手段、音声制御信号発生手段及び警報制御信号発生手段と、前記住戸用受信機内に設けられ、前記警報音声信号発生手段からの警報音声信号を入力する音声信号入力手段、前記音声制御信号発生手段からの音声制御信号を入力する音声制御信号入力手段、前記警報制御信号発生手段からの警報制御信号を入力する警報制御信号入力手段、内部音声信号発生手段、前記警報音声信号発生手段からの音声信号と前記内部音声信号発生手段からの音声信号を選択的に切り換える音声信号切換手段、前記音声信号により鳴動して音声警報音を発するスピーカ、及び住戸用受信機の前記各手段を制御する制御手段とを備え、
前記住棟受信機は、前記住戸用受信機の１つから火災報知信号を受信したとき火元に近い選択された住戸用受信機に対しては警報音声信号、これに連動する音声制御信号及び警報制御信号を、他の住戸用受信機に対しては警報制御信号のみをそれぞれ送信し、前記警報音声信号、音声制御信号及び警報制御信号を受信した住戸用受信機では、前記制御手段が前記音声制御信号入力手段への音声制御信号の入力と前記警報制御信号入力手段への警報制御信号の入力を認識することで、前記音声信号切換手段を前記音声信号入力手段側に接続し、前記住棟受信機からの警報音声信号による音声警報音を前記スピーカから発し、前記警報制御信号のみを受信した住戸用受信機では、前記制御手段が前記警報制御信号入力手段への警報制御信号の入力と前記音声制御信号入力手段への音声制御信号の非入力を認識することで、前記音声信号切換手段を前記内部音声信号発生手段側に接続し、自己の住戸用受信機の警報音声信号による音声警報音を前記スピーカから発することを特徴とする自動火災報知システム。
【請求項８】
集合住宅の防災センターなどに設置された住棟受信機と、集合住宅の各住戸内に設置され前記住棟受信機と中継器を経由してそれぞれ接続された住戸用受信機と、前記住棟受信機内に設けられた警報音声信号発生手段、音声制御信号発生手段及び警報制御信号発生手段と、前記住戸用受信機内に設けられ、前記警報音声信号発生手段からの警報音声信号を入力する音声信号入力手段、前記音声制御信号発生手段からの音声制御信号を入力する音声制御信号入力手段、前記警報制御信号発生手段からの警報制御信号を入力する警報制御信号入力手段、内部音声信号発生手段、前記警報音声信号発生手段からの音声信号と前記内部音声信号発生手段からの音声信号を選択的に切り換える音声信号切換手段、前記音声信号により鳴動して音声警報音を発するスピーカ、及び住戸用受信機の前記各手段を制御する制御手段とを備え、
前記住棟受信機は、前記住戸用受信機の１つから火災報知信号を受信したとき火元に近い選択された住戸用受信機に対しては警報音声信号、これに連動する音声制御信号及び警報制御信号を、他の住戸用受信機に対しては警報制御信号のみをそれぞれ送信し、前記警報音声信号、音声制御信号及び警報制御信号を受信した住戸用受信機では、前記制御手段が前記音声制御信号入力手段への音声制御信号の入力と前記警報制御信号入力手段への警報制御信号の入力を認識することで、前記音声信号切換手段を前記音声信号入力手段側に接続し、前記住棟受信機からの警報音声信号による音声警報音を前記スピーカから発し、前記警報制御信号のみを受信した住戸用受信機では、前記制御手段が前記警報制御信号入力手段への警報制御信号の入力と前記音声制御信号入力手段への音声制御信号の非入力を認識することで、前記音声信号切換手段を前記内部音声信号発生手段側に接続し、自己の住戸用受信機の警報音声信号による音声警報音を前記スピーカから発することを特徴とする自動火災報知システム。
【請求項９】
集合住宅の防災センターなどに設置された住棟受信機と、集合住宅の各住戸内に設置され前記住棟受信機とそれぞれ接続された住戸用受信機と、前記住棟受信機内に設けられた警報音声信号発生手段及び警報制御信号発生手段と、前記住戸用受信機内に設けられ、前記警報音声信号発生手段からの警報音声信号を入力する音声信号入力手段、前記警報制御信号発生手段からの警報制御信号を入力する警報制御信号入力手段、内部音声信号発生手段、前記警報音声信号発生手段からの音声信号と前記内部音声信号発生手段からの音声信号を選択的に切り換える音声信号切換手段、前記音声信号により鳴動して音声警報音を発するスピーカ、及び住戸用受信機の前記各手段を制御する制御手段とを備え、
前記住棟受信機は、前記住戸用受信機の１つから火災報知信号を受信したとき火元に近い選択された住戸用受信機に対しては警報音声信号を、他の住戸用受信機に対しては警報制御信号をそれぞれ送信し、前記警報音声信号を受信した住戸用受信機では、前記制御手段が前記音声信号入力手段への警報音声信号の入力を認識することで、前記音声信号切換手段を前記音声信号入力手段側に接続し、前記住棟受信機からの警報音声信号による音声警報音を前記スピーカから発し、前記警報制御信号のみを受信した住戸用受信機では、前記制御手段が前記警報制御信号入力手段への警報制御信号の入力と前記音声信号入力手段への警報音声信号の非入力を認識することで、前記音声信号切換手段を前記内部音声信号発生手段側に接続し、自己の住戸用受信機の警報音声信号による音声警報音を前記スピーカから発することを特徴とする自動火災報知システム。
【請求項１０】
集合住宅の防災センターなどに設置された住棟受信機と、集合住宅の各住戸内に設置され前記住棟受信機と中継器を経由してそれぞれ接続された住戸用受信機と、前記住棟受信機内に設けられた警報音声信号発生手段及び警報制御信号発生手段と、前記住戸用受信機内に設けられ、前記警報音声信号発生手段からの警報音声信号を入力する音声信号入力手段、前記警報制御信号発生手段からの警報制御信号を入力する警報制御信号入力手段、内部音声信号発生手段、前記警報音声信号発生手段からの音声信号と前記内部音声信号発生手段からの音声信号を選択的に切り換える音声信号切換手段、前記音声信号により鳴動して音声警報音を発するスピーカ、及び住戸用受信機の前記各手段を制御する制御手段とを備え、
前記住棟受信機は、前記住戸用受信機の１つから火災報知信号を受信したとき火元に近い選択された住戸用受信機に対しては警報音声信号を、他の住戸用受信機に対しては警報制御信号をそれぞれ送信し、前記警報音声信号を受信した住戸用受信機では、前記制御手段が前記音声信号入力手段への警報音声信号の入力を認識することで、前記音声信号切換手段を前記音声信号入力手段側に接続し、前記住棟受信機からの警報音声信号による音声警報音を前記スピーカから発し、前記警報制御信号のみを受信した住戸用受信機では、前記制御手段が前記警報制御信号入力手段への警報制御信号の入力と前記音声信号入力手段への警報音声信号の非入力を認識することで、前記音声信号切換手段を前記内部音声信号発生手段側に接続し、自己の住戸用受信機の警報音声信号による音声警報音を前記スピーカから発することを特徴とする自動火災報知システム。
【請求項１１】
集合住宅の防災センターなどに設置された住棟受信機と、集合住宅の各住戸内に設置され前記住棟受信機とそれぞれ接続された住戸用受信機と、前記住棟受信機内に設けられた警報音声信号発生手段及び警報制御信号発生手段と、前記住戸用受信機内に設けられ、前記警報音声信号発生手段からの警報音声信号を入力する音声信号入力手段、前記警報制御信号発生手段からの警報制御信号を入力する警報制御信号入力手段、内部音声信号発生手段、前記警報音声信号発生手段からの音声信号と前記内部音声信号発生手段からの音声信号を選択的に切り換える音声信号切換手段、前記音声信号により鳴動して音声警報音を発するスピーカ、及び住戸用受信機の前記各手段を制御する制御手段とを備え、前記住棟受信機は、前記住戸用受信機の１つから火災報知信号を受信したとき火元に近い選択された住戸用受信機に対しては警報音声信号及び警報制御信号の両方を、他の住戸用受信機に対しては警報制御信号のみをそれぞれ送信し、前記警報音声信号及び警報制御信号を受信した住戸用受信機では、前記制御手段が前記音声信号入力手段への警報音声信号の入力と前記警報制御信号入力手段への警報制御信号の入力を認識することで、前記音声信号切換手段を前記音声信号入力手段側に接続し、前記住棟受信機からの警報音声信号による音声警報音を前記スピーカから発し、前記警報制御信号のみを受信した住戸用受信機では、前記制御手段が前記警報制御信号入力手段への警報制御信号の入力と前記音声信号入力手段への警報音声信号の非入力を認識することで、前記音声信号切換手段を前記内部音声信号発生手段側に接続し、自己の住戸用受信機の警報音声信号による音声警報音を前記スピーカから発することを特徴とする自動火災報知システム。
【請求項１２】
集合住宅の防災センターなどに設置された住棟受信機と、集合住宅の各住戸内に設置され前記住棟受信機と中継器を経由してそれぞれ接続された住戸用受信機と、前記住棟受信機内に設けられた警報音声信号発生手段及び警報制御信号発生手段と、前記住戸用受信機内に設けられ、前記警報音声信号発生手段からの警報音声信号を入力する音声信号入力手段、前記警報制御信号発生手段からの警報制御信号を入力する警報制御信号入力手段、内部音声信号発生手段、前記警報音声信号発生手段からの音声信号と前記内部音声信号発生手段からの音声信号を選択的に切り換える音声信号切換手段、前記音声信号により鳴動して音声警報音を発するスピーカ、及び住戸用受信機の前記各手段を制御する制御手段とを備え、
前記住棟受信機は、前記住戸用受信機の１つから火災報知信号を受信したとき火元に近い選択された住戸用受信機に対しては警報音声信号及び警報制御信号の両方を、他の住戸用受信機に対しては警報制御信号のみをそれぞれ送信し、前記警報音声信号及び警報制御信号を受信した住戸用受信機では、前記制御手段が前記音声信号入力手段への警報音声信号の入力と前記警報制御信号入力手段への警報制御信号の入力を認識することで、前記音声信号切換手段を前記音声信号入力手段側に接続し、前記住棟受信機からの警報音声信号による音声警報音を前記スピーカから発し、前記警報制御信号のみを受信した住戸用受信機では、前記制御手段が前記警報制御信号入力手段への警報制御信号の入力と前記音声信号入力手段への警報音声信号の非入力を認識することで、前記音声信号切換手段を前記内部音声信号発生手段側に接続し、自己の住戸用受信機の警報音声信号による音声警報音を前記スピーカから発することを特徴とする自動火災報知システム。
【発明の詳細な説明】
【０００１】
【発明の属する技術分野】
本発明は、集合住宅等に設置し、火災感知器作動時に該当住戸での火災警報（例えば「火事です。火事です。火災が発生しました。」）、及び住棟受信機からの警報制御信号により近隣住戸火災警報（例えば「火事です。火事です。この近所で火災が発生しました。」）を発する自動火災報知システムに関するものである。
【０００２】
【従来の技術】
近年、集合住宅において、火災が発生した場合、自住戸の火災警報だけでなく、出火階又は直上階などの近隣住戸にも近隣住戸火災警報を発する自動火災報知システムが開発されている。
【０００３】
この自動火災報知システムの基本構成を図７に示し、以下にその動作を説明する。各住戸内に設けられた火災感知器Ｋが火災を感知すると、信号線Ｌｋ、中継器２、信号線Ｌｆを経由して感知器作動信号が住戸用受信機１内の感知器作動信号受信回路１１に入力される。感知器作動信号受信回路１１から情報を伝達された演算制御回路１４は、内部音声信号源１５を制御してスピーカＳＰを鳴動させ、第１の火災警報を発する。例えば「火災感知器が作動しました。確認して下さい。」というようなメッセージである。続いてタイマーＴによる遅延時間経過後、演算制御回路１４は火災報知信号送信回路１２を制御し、信号線Ｌａ′、中継器２、信号線Ｌａを経由して住棟受信機３に火災が発生した旨の火災報知信号を送信するとともに、内部音声信号源１５を制御してスピーカＳＰを鳴動させ、第２の火災警報を発する。例えば「火災が発生しました。安全を確認の上避難して下さい。」というようなメッセージである。
【０００４】
住棟受信機３は火災報知信号を受信すると、火災報知信号を送信した住戸用受信機１のみならず、住戸用受信機１と同一階、直上階のすべての住戸用受信機１′に対し、返信として警報制御信号を送出する。これを受信した住戸用受信機１′内の警報制御信号受信回路１３は、演算制御回路１４に警報制御信号を受信した旨の情報を伝達し、演算制御回路１４は内部音声信号源１５を制御してスピーカＳＰを鳴動させ、住戸内に近隣火災警報を発する。例えば、「この近所で火災が発生しました。安全を確認の上、避難して下さい。」と言うようなメッセージである。
【０００５】
以上のように、火災が発生した住戸のみならず、出火階、直上階のすべての住戸の住戸用受信機から火災が発生した旨の警報を発して住民に避難を促すと共に、メッセージの内容により火災が発生した住戸とそれ以外の住戸を識別するようにしている。
【０００６】
【発明が解決しようとする課題】
しかしながら、前記従来の自動火災報知システムでは、集合住宅内の全住戸において、住民に火災発生を知らしめるために各住戸用受信機の内部音声信号源による火災警報、例えば「この近所で火災が発生しました。安全を確認の上、避難して下さい。」を発生させるとしても、出火階の特定は困難であり、出火住戸を特定するまでに多大な時間を要してしまうことになる。また住棟受信機の音声信号源により全住戸のスピーカを鳴動させて警報音を出すためには、住棟受信機のアンプの容量を大きくしなければならないという問題があった。
【０００７】
本発明は上記従来の問題点を解決するものであり、集合住宅における火災の発生時に、集合住宅内の全住戸においてスピーカを鳴動させて火災警報を発することを可能とし、同時に出火階を容易に特定できるようにした自動火災報知システムを提供することを目的とする。
【０００８】
【課題を解決するための手段】
前記目的を達成するために、本発明に係る自動火災報知システムでは、火災発生時に住戸用受信機からの火災報知信号を受信した住棟受信機は、住戸用受信機に対する返信として、集合住宅内のすべての住戸に対して警報制御信号を発し、出火階及び直上階の住戸に対しては警報制御信号と同時に警報音声信号を出力して住戸用受信機のスピーカを住棟受信機側に切り換え、スピーカを鳴動させて住棟受信機からの音声警報音を住戸内に発する。例えば出火階が３階であれば「ピンポンピンポンピンポン、火事です、火事です、３階で火災が発生しました、安全を確認の上避難してください。」というようなメッセージである。
【０００９】
これに対し、出火階及び直上階以外の住戸においては、住戸用受信機の内部音声信号源によりスピーカを鳴動させ、例えば「ピンポンピンポンピンポン、火事です、火事です、この近所で火災が発生しました、安全を確認の上避難してください。」というように異なる音声警報音で火災警報を発するように構成したものである。
【００１０】
これにより、集合住宅における火災の発生時に、集合住宅内の全住戸において火災警報を発することを可能とし、かつ出火階の特定を容易なものとすることができる。
【００１１】
また住棟受信機の音声信号源による音声警報音は、出火階、直上階の住戸用受信機からのみ発するように限定することで、住棟受信機のアンプ容量を極力抑えることができ、住棟受信機を安価かつ小型なものとすることができる。
【００１２】
【発明の実施の形態】
本発明の請求項１に記載の自動火災報知システムは、集合住宅の防災センターなどに設置された住棟受信機と、集合住宅の各住戸内に設置され前記住棟受信機とそれぞれ接続された住戸用受信機と、前記住棟受信機内に設けられた警報音声信号発生手段及び警報制御信号発生手段と、前記住戸用受信機内に設けられた内部音声信号発生手段、前記警報音声信号発生手段からの音声信号と前記内部音声信号発生手段からの音声信号を選択的に切り換える音声信号切換手段、及び音声信号により鳴動して音声警報音を発するスピーカとを備え、前記住棟受信機は、前記住戸用受信機の１つから火災報知信号を受信したとき火元に近い選択された住戸用受信機に対しては警報音声信号を、他の住戸用受信機に対しては警報制御信号をそれぞれ送信し、前記警報音声信号を受信した住戸用受信機は、前記音声信号切換手段を前記警報音声信号の入力端子側に接続し、前記住棟受信機からの警報音声信号による音声警報音を前記スピーカから発し、前記警報制御信号を受信した住戸用受信機は、前記音声信号切換手段を前記内部音声信号発生手段側に接続し、自己の住戸用受信機の警報音声信号による音声警報音を前記スピーカから発することを特徴とするものであり、住棟受信機から送信する信号に応じて住戸用受信機のスピーカから発せられる音声警報音を異なるものにすることで、出火階を明確に識別することができるという作用を有する。
【００１３】
本発明の請求項２に記載の自動火災報知システムは、請求項１における住棟受信機と住戸用受信機との間に中継器を備えていることを特徴とするものである。
【００１４】
本発明の請求項３に記載の自動火災報知システムは、集合住宅の防災センターなどに設置された住棟受信機と、集合住宅の各住戸内に設置され前記住棟受信機とそれぞれ接続された住戸用受信機と、前記住棟受信機内に設けられた警報音声信号発生手段及び警報制御信号発生手段と、前記住戸用受信機内に設けられた内部音声信号発生手段、前記警報音声信号発生手段からの音声信号と前記内部音声信号発生手段からの音声信号を選択的に切り換える音声信号切換手段、及び音声信号により鳴動して音声警報音を発するスピーカとを備え、前記住棟受信機は、前記住戸用受信機の１つから火災報知信号を受信したとき火元に近い選択された住戸用受信機に対しては警報音声信号と警報制御信号の両方を、他の住戸用受信機に対しては警報制御信号のみをそれぞれ送信し、前記警報音声信号及び警報制御信号を受信した住戸用受信機は、前記音声信号切換手段を前記警報音声信号の入力端子側に接続し、前記住棟受信機からの警報音声信号による音声警報音を前記スピーカから発し、前記警報制御信号のみを受信した住戸用受信機は、前記音声信号切換手段を前記内部音声信号発生手段側に接続し、自己の住戸用受信機の警報音声信号による音声警報音を前記スピーカから発することを特徴とするものである。
【００１５】
また、本発明の請求項５に記載の自動火災報知システムは、集合住宅の防災センターなどに設置された住棟受信機と、集合住宅の各住戸内に設置され前記住棟受信機とそれぞれ接続された住戸用受信機と、前記住棟受信機内に設けられた警報音声信号発生手段、音声制御信号発生手段及び警報制御信号発生手段と、前記住戸用受信機内に設けられ、前記警報音声信号発生手段からの警報音声信号を入力する音声信号入力手段、前記音声制御信号発生手段からの音声制御信号を入力する音声制御信号入力手段、前記警報制御信号発生手段からの警報制御信号を入力する警報制御信号入力手段、内部音声信号発生手段、前記警報音声信号発生手段からの音声信号と前記内部音声信号発生手段からの音声信号を選択的に切り換える音声信号切換手段、前記音声信号により鳴動して音声警報音を発するスピーカ、及び住戸用受信機の前記各手段を制御する制御手段とを備え、前記住棟受信機は、前記住戸用受信機の１つから火災報知信号を受信したとき火元に近い選択された住戸用受信機に対しては警報音声信号及びこれに連動する音声制御信号を、他の住戸用受信機に対しては警報制御信号のみをそれぞれ送信し、前記警報音声信号及び音声制御信号を受信した住戸用受信機では、前記制御手段が前記音声制御信号入力手段への音声制御信号の入力を認識することで、前記音声信号切換手段を前記音声信号入力手段側に接続し、前記住棟受信機からの警報音声信号による音声警報音を前記スピーカから発し、前記警報制御信号のみを受信した住戸用受信機では、前記制御手段が前記警報制御信号入力手段への警報制御信号の入力と前記音声制御信号入力手段への音声制御信号の非入力を認識することで、前記音声信号切換手段を前記内部音声信号発生手段側に接続し、自己の住戸用受信機の警報音声信号による音声警報音を前記スピーカから発することを特徴とするものである。
【００１６】
また、本発明の請求項７に記載の自動火災報知システムは、集合住宅の防災センターなどに設置された住棟受信機と、集合住宅の各住戸内に設置され前記住棟受信機とそれぞれ接続された住戸用受信機と、前記住棟受信機内に設けられた警報音声信号発生手段、音声制御信号発生手段及び警報制御信号発生手段と、前記住戸用受信機内に設けられ、前記警報音声信号発生手段からの警報音声信号を入力する音声信号入力手段、前記音声制御信号発生手段からの音声制御信号を入力する音声制御信号入力手段、前記警報制御信号発生手段からの警報制御信号を入力する警報制御信号入力手段、内部音声信号発生手段、前記警報音声信号発生手段からの音声信号と前記内部音声信号発生手段からの音声信号を選択的に切り換える音声信号切換手段、前記音声信号により鳴動して音声警報音を発するスピーカ、及び住戸用受信機の前記各手段を制御する制御手段とを備え、前記住棟受信機は、前記住戸用受信機の１つから火災報知信号を受信したとき火元に近い選択された住戸用受信機に対しては警報音声信号、これに連動する音声制御信号及び警報制御信号を、他の住戸用受信機に対しては警報制御信号のみをそれぞれ送信し、前記警報音声信号、音声制御信号及び警報制御信号を受信した住戸用受信機では、前記制御手段が前記音声制御信号入力手段への音声制御信号の入力と前記警報制御信号入力手段への警報制御信号の入力を認識することで、前記音声信号切換手段を前記音声信号入力手段側に接続し、前記住棟受信機からの警報音声信号による音声警報音を前記スピーカから発し、前記警報制御信号のみを受信した住戸用受信機では、前記制御手段が前記警報制御信号入力手段への警報制御信号の入力と前記音声制御信号入力手段への音声制御信号の非入力を認識することで、前記音声信号切換手段を前記内部音声信号発生手段側に接続し、自己の住戸用受信機の警報音声信号による音声警報音を前記スピーカから発することを特徴とするものである。
【００１７】
また、本発明の請求項９に記載の自動火災報知システムは、集合住宅の防災センターなどに設置された住棟受信機と、集合住宅の各住戸内に設置され前記住棟受信機とそれぞれ接続された住戸用受信機と、前記住棟受信機内に設けられた警報音声信号発生手段及び警報制御信号発生手段と、前記住戸用受信機内に設けられ、前記警報音声信号発生手段からの警報音声信号を入力する音声信号入力手段、前記警報制御信号発生手段からの警報制御信号を入力する警報制御信号入力手段、内部音声信号発生手段、前記警報音声信号発生手段からの音声信号と前記内部音声信号発生手段からの音声信号を選択的に切り換える音声信号切換手段、前記音声信号により鳴動して音声警報音を発するスピーカ、及び住戸用受信機の前記各手段を制御する制御手段とを備え、前記住棟受信機は、前記住戸用受信機の１つから火災報知信号を受信したとき火元に近い選択された住戸用受信機に対しては警報音声信号を、他の住戸用受信機に対しては警報制御信号をそれぞれ送信し、前記警報音声信号を受信した住戸用受信機では、前記制御手段が前記音声信号入力手段への警報音声信号の入力を認識することで、前記音声信号切換手段を前記音声信号入力手段側に接続し、前記住棟受信機からの警報音声信号による音声警報音を前記スピーカから発し、前記警報制御信号のみを受信した住戸用受信機では、前記制御手段が前記警報制御信号入力手段への警報制御信号の入力と前記音声信号入力手段への警報音声信号の非入力を認識することで、前記音声信号切換手段を前記内部音声信号発生手段側に接続し、自己の住戸用受信機の警報音声信号による音声警報音を前記スピーカから発することを特徴とするものである。
【００１８】
さらに、本発明の請求項１１に記載の自動火災報知システムは、集合住宅の防災センターなどに設置された住棟受信機と、集合住宅の各住戸内に設置され前記住棟受信機とそれぞれ接続された住戸用受信機と、前記住棟受信機内に設けられた警報音声信号発生手段及び警報制御信号発生手段と、前記住戸用受信機内に設けられ、前記警報音声信号発生手段からの警報音声信号を入力する音声信号入力手段、前記警報制御信号発生手段からの警報制御信号を入力する警報制御信号入力手段、内部音声信号発生手段、前記警報音声信号発生手段からの音声信号と前記内部音声信号発生手段からの音声信号を選択的に切り換える音声信号切換手段、前記音声信号により鳴動して音声警報音を発するスピーカ、及び住戸用受信機の前記各手段を制御する制御手段とを備え、前記住棟受信機は、前記住戸用受信機の１つから火災報知信号を受信したとき火元に近い選択された住戸用受信機に対しては警報音声信号及び警報制御信号の両方を、他の住戸用受信機に対しては警報制御信号のみをそれぞれ送信し、前記警報音声信号及び警報制御信号を受信した住戸用受信機では、前記制御手段が前記音声信号入力手段への警報音声信号の入力と前記警報制御信号入力手段への警報制御信号の入力を認識することで、前記音声信号切換手段を前記音声信号入力手段側に接続し、前記住棟受信機からの警報音声信号による音声警報音を前記スピーカから発し、前記警報制御信号のみを受信した住戸用受信機では、前記制御手段が前記警報制御信号入力手段への警報制御信号の入力と前記音声信号入力手段への警報音声信号の非入力を認識することで、前記音声信号切換手段を前記内部音声信号発生手段側に接続し、自己の住戸用受信機の警報音声信号による音声警報音を前記スピーカから発することを特徴とするものである。
【００１９】
なお、本発明の請求項４，請求項６，請求項８，請求項１０及び請求項１２に記載の自動火災報知システムは、それぞれ請求項３，請求項５，請求項７，請求項９及び請求項１１における住棟受信機と住戸用受信機との間に中継器を備えていることを特徴とするものである。
【００２０】
そして、上記構成を採用することにより、いずれも、集合住宅における火災の発生時に、集合住宅内の全住戸においてスピーカを鳴動させて火災警報を発することを可能とし、同時に、住棟受信機から送信する信号に応じて住戸用受信機のスピーカから発せられる音声警報音を異なるものにすることで、出火階を明確に特定することができるものである。
【００２１】
以下、本発明の実施の形態について、図面を参照しながら詳細に説明する。
【００２２】
（実施の形態１）
図１は本発明の実施の形態１における自動火災報知システムを示すブロック図である。図１において、１は住戸用受信機、３は住棟受信機、Ｌｂは警報制御信号線路、Ｌｏは警報音声信号線路である。
【００２３】
住戸用受信機１における１５は内部音声信号源であり、例えば音声信号源と音声アンプ回路とで構成されている。ｃは音声信号切換回路であり、例えば継電器や電気的スイッチから構成される。ＳＰはスピーカである。
【００２４】
以上のように構成された本実施の形態１における動作を、以下に説明する。まず、火災が発生した旨の報知信号を任意の住戸用受信機１から受信した住棟受信機３は、集合住宅内の報知信号を送信した住戸と同一階及び直上階にあるすべての住戸の住戸用受信機１に対し、警報音声信号線路Ｌｏを通して警報音声信号を送信する。その警報音声信号を受信した住戸用受信機１は、通常、内部音声信号源１５側に接続されている音声信号切換回路ｃを警報音声信号の入力端子側に切り換え、スピーカＳＰは住棟受信機３から出力された警報音声信号による音声警報音を発する。
【００２５】
また、住棟受信機３は火災が発生した旨の報知信号を受信したとき、集合住宅内の報知信号を送信した住戸と同一階及び直上階以外の階にある住戸の住戸用受信機１に対しては、警報制御信号線路Ｌｂを通して警報制御信号のみを送信し、警報音声信号線路Ｌｏを通しての警報音声信号は送信しない。そこで、警報制御信号のみを受信した住戸用受信機１は、音声信号切換回路ｃを内部音声信号源１５側に切り換え、内部音声信号源１５から発生した音声信号によりスピーカＳＰを鳴動させ、自己の住戸用受信機の音声警報音を発する。
【００２６】
（実施の形態２）
次に、本発明の実施の形態２における自動火災報知システムについて説明する。実施の形態２における自動火災報知システムの構成も、実施の形態１と同様に図１のブロック図によって表される。
【００２７】
火災の発生時、集合住宅内の任意の住戸用受信機１から報知信号を受信した住棟受信機３は集合住宅内の報知信号を送信した住戸の同一階及び直上階にあるすべての住戸用受信機１に対して、警報制御信号線路Ｌｂを通して警報制御信号と、警報音声信号線路Ｌｏを通して警報音声信号の両方を送信する。この場合、住戸用受信機１では、警報制御信号と警報音声信号の両方が入力しても、音声信号切換回路ｃは警報音声信号線路Ｌｏ側に切り換わり、スピーカＳＰからは住棟受信機３から出力された警報音声信号による音声警報音を発するようになっている。
【００２８】
一方、集合住宅内の報知信号を送信した住戸と同一階及び直上階以外の階にある住戸用受信機１に対しては、警報制御信号線路Ｌｂを通して警報制御信号のみが送信され、その住戸用受信機１では、音声信号切換回路ｃを内部音声信号源１５側に切り換えて、内部音声信号源１５から発生した音声信号によりスピーカＳＰを鳴動させ、自己の住戸用受信機の音声警報音を発することは実施の形態１と同じである。
【００２９】
（実施の形態３）
図２は本発明の実施の形態３における自動火災報知システムを示すブロック図である。図２において、１は住戸用受信機、２は中継器、３は住棟受信機、Ｌｂ及びＬｂ′は警報制御信号線路、Ｌｏ及びＬｏ′は警報音声信号線路である。
【００３０】
住戸用受信機１において、１５は内部音声信号源であり、例えば音声信号源と音声アンプ回路とで構成されている。ｃは音声信号切換回路であり、例えば継電器や電気的スイッチから構成される。ＳＰはスピーカである。
【００３１】
このような構成の自動火災報知システムにおいて、以下その動作を説明する。まず、火災が発生した旨の報知信号を任意の住戸用受信機１から受信した住棟受信機３は、集合住宅内の報知信号を送信した住戸と同一階及び直上階にあるすべての住戸の住戸用受信機１に対し、警報音声信号線路Ｌｏ、中継器２及び警報音声信号線路Ｌｏ′を経由して警報音声信号を送信する。その警報音声信号を受信した住戸用受信機１は、通常、内部音声信号源１５側に接続されている音声信号切換回路ｃを警報音声信号線路Ｌｏ′側に切り換え、スピーカＳＰは住棟受信機３から出力された警報音声信号による音声警報音を発する。
【００３２】
また、住棟受信機３は火災が発生した旨の報知信号を受信したとき、集合住宅内の報知信号を送信した住戸と同一階及び直上階以外の階にある住戸の住戸用受信機１に対しては、警報制御信号線路Ｌｂ，中継器２及び警報制御信号線路Ｌｂ′を経由して警報制御信号のみを送信し、警報音声信号線路Ｌｏを通しての警報音声信号は送信しない。ここで、中継器２は、警報制御信号線路Ｌｂから入力された警報制御信号を電圧レベル変換する。警報制御信号のみを受信した住戸用受信機１は、音声信号切換回路ｃを内部音声信号源１５側に切り換え、内部音声信号源１５から発生した音声信号によりスピーカＳＰを鳴動させ、自己の住戸用受信機の音声警報音を発する。
【００３３】
なお、警報制御信号線路Ｌｂから中継器２に入力された警報制御信号は、中継器２の内部で全波整流及び平滑化されて警報制御信号線路Ｌｂ′に出力されるようにしてもよい。また警報制御信号線路Ｌｂから中継器２に入力した警報制御信号は、無作為に警報制御信号線路Ｌｂ′に出力されるようにしてもよい。
【００３４】
（実施の形態４）
本発明の実施の形態４による自動火災報知システムも、上記実施の形態３と同様に図２のブロック図によって表される。
【００３５】
火災が発生した旨の報知信号を任意の住戸用受信機１から受信した住棟受信機３は、集合住宅内の報知信号を送信した住戸と同一階及び直上階にあるすべての住戸の住戸用受信機１に対し、警報音声信号線路Ｌｏ、中継器２及び警報音声信号線路Ｌｏ′を経由して警報音声信号を、また警報制御信号線路Ｌｂ、中継器２及び警報制御信号線路Ｌｂ′を経由して警報制御信号をそれぞれ送信する。ここで、中継器２は、警報制御信号線路Ｌｂから入力された警報制御信号を電圧レベル変換する。警報制御信号と音声警報信号の両方を受信した住戸用受信機１は、音声信号切換回路ｃを警報音声信号線路Ｌｏ′側に接続し、スピーカＳＰは住棟受信機３から出力された警報音声信号による音声警報音を発する。
【００３６】
また、住棟受信機３は火災が発生した旨の報知信号を受信したとき、集合住宅内の報知信号を送信した住戸と同一階及び直上階以外の階にある住戸の住戸用受信機１に対しては、警報制御信号線路Ｌｂ，中継器２及び警報制御信号線路Ｌｂ′を経由して警報制御信号のみを送信し、警報音声信号線路Ｌｏ，中継器２及び警報音声信号線路Ｌｏ′を通しての警報音声信号は送信しない。警報制御信号のみを受信した住戸用受信機１は、音声信号切換回路ｃを内部音声信号源１５側に切り換え、内部音声信号源１５から発生した音声信号によりスピーカＳＰを鳴動させ、自己の住戸用受信機の音声警報音を発する。
【００３７】
なお、警報制御信号線路Ｌｂから中継器２に入力された警報制御信号は、中継器２の内部で全波整流及び平滑化されて警報制御信号線路Ｌｂ′に出力されるようにしてもよい。また警報制御信号線路Ｌｂから中継器２に入力した警報制御信号は、無作為に警報制御信号線路Ｌｂ′に出力されるようにしてもよい。
【００３８】
（実施の形態５）
図３は本発明の実施の形態５における自動火災報知システムを示すブロック図である。図３において、１は住戸用受信機、３は住棟受信機、Ｌｃは音声制御信号線路、Ｌｂは警報制御信号線路、Ｌｏは警報音声信号線路である。
【００３９】
また住戸用受信機１において、１５は内部音声信号源であり、例えば音声信号源と音声アンプ回路とで構成されている。１６は音声制御信号入力手段であり、例えば音声制御信号の検出回路から構成される。１７は警報制御信号入力手段であり、例えば警報制御信号の検出回路により構成される。１８は音声信号入力手段であり、例えば通話路インピーダンスの整合回路及び音声の増幅回路から構成される。２０は音声信号切換手段であり、例えば継電器や電気的スイッチから構成される。ＳＰはスピーカ、１９は制御手段である。
【００４０】
以上のように構成された自動火災報知システムにおいて、以下にその動作を説明する。まず、火災が発生した旨の報知信号を任意の住戸用受信機１から受信した住棟受信機３は、集合住宅内の報知信号を送信した住戸と同一階及び直上階にあるすべての住戸の住戸用受信機１に対し、警報音声信号線路Ｌｏを通して警報音声信号を送信する。その警報音声信号は音声信号入力手段１８に入力される。同時に、住棟受信機３は音声制御信号線路Ｌｃを通して音声制御信号を出力し、その音声制御信号は音声制御信号入力手段１６に入力される。音声制御信号入力手段１６は音声制御信号が入力したことを制御手段１９に伝達し、これを認識した制御手段１９は音声信号切換手段２０を音声信号入力手段１８側に接続し、スピーカＳＰは住棟受信機３から出力された警報音声信号による音声警報音を発する。
【００４１】
また、住棟受信機３は火災が発生した旨の報知信号を受信したとき、集合住宅内の報知信号を送信した住戸と同一階及び直上階以外の階にある住戸の住戸用受信機１に対しては、警報制御信号線路Ｌｂを通して警報制御信号のみを送信し、警報音声信号線路Ｌｏを通しての警報音声信号は出力されず、またこれと連動する音声制御信号線路Ｌｃを通しての音声制御信号も出力されない。警報制御信号入力手段１７は警報制御信号が入力したことを制御手段１９に伝達し、一方、音声制御信号入力手段１６からは音声制御信号線路Ｌｃを通しての音声制御信号が入力していないことを制御手段１９に伝達することにより、制御手段１９は音声信号切換手段２０を内部音声信号源１５側に接続し、内部音声信号源１５から出力された警報音声信号によってスピーカＳＰを鳴動させる。
【００４２】
（実施の形態６）
本発明の実施の形態６における自動火災報知システムの構成も、実施の形態５と同様に図３で表される。ここで、実施の形態５と異なる点は、火災が発生した旨の報知信号を任意の住戸用受信機１から受信した住棟受信機３は、集合住宅内の報知信号を送信した住戸と同一階及び直上階にあるすべての住戸の住戸用受信機１に対して、警報音声信号線路Ｌｏを通して警報音声信号を送信するとともに、これに連動して音声制御信号線路Ｌｃを通しての音声制御信号を出力し、さらに同時に、警報制御信号線路Ｌｂを通しての警報制御信号も出力する点にある。
【００４３】
そこで、音声制御信号を入力した音声制御信号入力手段１６は、その旨を制御手段１９に伝達し、制御手段１９は、警報制御信号入力手段１７から警報制御信号も入力した旨の伝達があれば、音声信号切換手段２０を音声信号入力手段１８側に接続し、住棟受信機３から出力された警報音声信号によりスピーカＳＰを鳴動させて音声警報音を発する。
【００４４】
なお、集合住宅内の報知信号を送信した住戸と同一階及び直上階以外の階にある住戸の住戸用受信機１に対しては警報制御信号線路Ｌｂを通しての警報制御信号のみを出力し、制御手段１９は音声信号切換手段２０を内部音声信号源１５側に切り換えて、内部音声信号源１５から出力された警報音声信号によってスピーカＳＰを鳴動させる点は実施の形態５と同じである。
【００４５】
（実施の形態７）
図４は本発明の実施の形態７における自動火災報知システムを示すブロック図である。図４において、１は住戸用受信機、２は中継器、３は住棟受信機、Ｌｃ及びＬｃ′は音声制御信号線路、Ｌｂ及びＬｂ′は警報制御信号線路、Ｌｏ及びＬｏ′は警報音声信号線路である。
【００４６】
また、住戸用受信機１において、１５は内部音声信号源であり、例えば音声信号源と音声アンプ回路とで構成される。１６は音声制御信号入力手段であり、例えば音声制御信号の検出回路から構成される。１７は警報制御信号入力手段であり、例えば警報制御信号の検出回路により構成される。１８は音声信号入力手段であり、例えば通話路インピーダンスの整合回路及び音声の増幅回路から構成される。２０は音声信号切換手段であり、例えば継電器や電気的スイッチから構成される。ＳＰはスピーカ、１９は制御手段である。
【００４７】
以上のように構成された自動火災報知システムについて、以下にその動作を説明する。まず、火災が発生した旨の報知信号を任意の住戸用受信機１から受信した住棟受信機３は、集合住宅内の報知信号を送信した住戸と同一階及び直上階にあるすべての住戸の住戸用受信機１に対し、警報音声信号線路Ｌｏ，中継器２及び警報音声信号線路Ｌｏ′を経由して警報音声信号を送信し、警報音声信号は音声信号入力手段１８に入力される。同時に、住棟受信機３は音声制御信号線路Ｌｃ，中継器２，音声制御信号線路Ｌｃ′を経由して音声制御信号を出力し、その音声制御信号は音声制御信号入力手段１６に入力される。音声制御信号入力手段１６は音声制御信号が入力したことを制御手段１９に伝達し、これを認識した制御手段１９は音声信号切換手段２０を音声信号入力手段１８側に接続し、スピーカＳＰは住棟受信機３から出力された警報音声信号による音声警報音を発する。
【００４８】
また、住棟受信機３は火災が発生した旨の報知信号を受信したとき、集合住宅内の報知信号を送信した住戸と同一階及び直上階以外の階にある住戸の住戸用受信機１に対しては、警報制御信号のみを送信し、警報音声信号と、これに連動する音声制御信号は出力しない。住棟受信機３から出力された警報制御信号は警報制御信号線路Ｌｂを経由して中継器２に入力される。中継器２に入力された警報制御信号は中継器２の内部で電圧レベル変換され、警報制御信号線路Ｌｂ´を経由して警報制御信号入力手段１７に入力される。
【００４９】
警報制御信号入力手段１７は警報制御信号が入力したことを制御手段１９に伝達し、一方、音声制御信号入力手段１６からは音声制御信号が入力していないことを制御手段１９に伝達することにより、制御手段１９は音声信号切換手段２０を内部音声信号源１５側に接続し、内部音声信号源１５から出力された警報音声信号によってスピーカＳＰを鳴動させる。
【００５０】
なお、警報制御信号線路Ｌｂから中継器２に入力された警報制御信号は、中継器２の内部で全波整流及び平滑されて警報制御信号線路Ｌｂ´に出力されるようにしてもよい。また警報制御信号線路Ｌｂから中継器２に入力した警報制御信号は、無作為に警報制御信号線路Ｌｂ´に出力されるようにしてもよい。
【００５１】
（実施の形態８）
本発明の実施の形態８による自動火災報知システムも、上記実施の形態７と同様に図４のブロック図によって表される。ここで、実施の形態７と異なる点は、火災が発生した旨の報知信号を任意の住戸用受信機１から受信した住棟受信機３は、集合住宅内の報知信号を送信した住戸と同一階及び直上階にあるすべての住戸の住戸用受信機１に対して、警報音声信号線路Ｌｏ，中継器２及び警報音声信号線路Ｌｏ′を経由して警報音声信号を送信するとともに、音声制御信号線路Ｌｃ，中継器２，音声制御信号線路Ｌｃ′を経由して音声制御信号を出力し、さらに同時に、警報制御信号線路Ｌｂ，中継器２及び警報制御信号線路Ｌｂ´を経由して警報制御信号も出力する点にある。
【００５２】
そこで、音声制御信号を入力した音声制御信号入力手段１６は、その旨を制御手段１９に伝達し、制御手段１９は、警報制御信号入力手段１７から警報制御信号も入力した旨の伝達があれば、音声信号切換手段２０を音声信号入力手段１８側に接続し、住棟受信機３から出力された警報音声信号によりスピーカＳＰを鳴動させて音声警報音を発する。
【００５３】
なお、集合住宅内の報知信号を送信した住戸と同一階及び直上階以外の階にある住戸の住戸用受信機１に対しては警報制御信号線路Ｌｂ，中継器２及び警報制御信号線路Ｌｂ´を経由しての警報制御信号のみを出力し、制御手段１９は音声信号切換手段２０を内部音声信号源１５側に切り換えて、内部音声信号源１５から出力された警報音声信号によってスピーカＳＰを鳴動させる点は実施の形態７と同じである。
【００５４】
（実施の形態９）
図５は本発明の実施の形態９における自動火災報知システムを示すブロック図である。図５において、１は住戸用受信機、３は住棟受信機、Ｌｂは警報制御信号線路、Ｌｏは警報音声信号線路である。
【００５５】
また、住戸用受信機１において、１５は内部音声信号源であり、例えば音声信号源と音声アンプ回路とで構成される。１７は警報制御信号入力手段であり、例えば警報制御信号の検出回路により構成される。２１は音声信号入力手段であり、例えば通話路インピーダンスの整合回路及び音声の増幅回路とフォトカプラを使用した電流検出回路とトランジスタを使用した電圧レベル変換回路から構成される。ＳＰはスピーカ、１９は制御手段である。
【００５６】
以上のように構成された自動火災報知システムについて、以下にその動作を説明する。まず、火災が発生した旨の報知信号を任意の住戸用受信機１から受信した住棟受信機３は、集合住宅内の報知信号を送信した住戸と同一階及び直上階にあるすべての住戸の住戸用受信機１に対し、警報音声信号線路Ｌｏを通して警報音声信号を送信する。その警報音声信号は音声信号入力手段２１に入力される。音声信号入力手段２１は警報音声信号が入力したことを制御手段１９に伝達し、これを認識した制御手段１９は音声信号切換手段２０を音声信号入力手段２１側に接続し、スピーカＳＰは住棟受信機３から出力された警報音声信号による音声警報音を発する。
【００５７】
また、住棟受信機３は火災が発生した旨の報知信号を受信したとき、集合住宅内の報知信号を送信した住戸と同一階及び直上階以外の階にある住戸の住戸用受信機１に対しては、警報制御信号線路Ｌｂを通して警報制御信号のみを送信し、警報音声信号線路Ｌｏを通しての警報音声信号は出力しない。警報制御信号入力手段１７は警報制御信号が入力したことを制御手段１９に伝達し、制御手段１９は、このとき音声信号入力手段２１から警報音声信号が入力していない旨の伝達があれば、音声信号切換手段２０を内部音声信号源１５側に接続し、内部音声信号源１５から出力された警報音声信号によってスピーカＳＰを鳴動させる。
【００５８】
（実施の形態１０）
本発明の実施の形態１０における自動火災報知システムも、実施の形態９と同様に図５で表される。ここで、実施の形態９と異なる点は、火災が発生した旨の報知信号を任意の住戸用受信機１から受信した住棟受信機３は、集合住宅内の報知信号を送信した住戸と同一階及び直上階にあるすべての住戸の住戸用受信機１に対して、警報音声信号線路Ｌｏを通して警報音声信号を送信するとともに、警報制御信号線路Ｌｂを通しての警報制御信号も出力する点にある。
【００５９】
そこで、警報音声信号を入力した警報音声信号入力手段２１は、その旨を制御手段１９に伝達し、それを認識した制御手段１９は、警報制御信号入力手段１７から警報制御信号も入力した旨の伝達があれば、音声信号切換手段２０を音声信号入力手段２１側に接続し、住棟受信機３から出力された警報音声信号によりスピーカＳＰを鳴動させて音声警報音を発する。
【００６０】
なお、集合住宅内の報知信号を送信した住戸と同一階及び直上階以外の階にある住戸の住戸用受信機１に対しては、住棟受信機３は警報制御信号線路Ｌｂを通しての警報制御信号のみを出力し、警報音声信号線路Ｌｏを通しての警報音声信号は出力せず、制御手段１９は音声信号切換手段２０を内部音声信号源１５側に切り換えて、内部音声信号源１５から出力された警報音声信号によってスピーカＳＰを鳴動させる点は実施の形態９と同じである。
【００６１】
（実施の形態１１）
図６は本発明の実施の形態１１における自動火災報知システムを示すブロック図である。図６において、１は住戸用受信機、２は中継器、３は住棟受信機、Ｌｂ及びＬｂ′は警報制御信号線路、Ｌｏ及びＬｏ′は警報音声信号線路である。
【００６２】
また、住戸用受信機１において、１５は内部音声信号源であり、例えば音声信号源と音声アンプ回路とで構成される。１７は警報制御信号入力手段であり、例えば警報制御信号の検出回路により構成される。２１は音声信号入力手段であり、例えば通話路インピーダンスの整合回路及び音声の増幅回路とフォトカプラを使用した電流検出回路などの警報音声信号の検出回路から構成される。２０は音声信号切換手段であり、例えば継電器や電気的スイッチから構成される。ＳＰはスピーカ、１９は制御手段である。
【００６３】
以上のように構成された自動火災報知システムについて、以下にその動作を説明する。まず、火災が発生した旨の報知信号を任意の住戸用受信機１から受信した住棟受信機３は、集合住宅内の報知信号を送信した住戸と同一階及び直上階にあるすべての住戸の住戸用受信機１に対し、警報音声信号線路Ｌｏ，中継器２及び警報音声信号線路Ｌｏ′を通して警報音声信号を送信する。その警報音声信号は音声信号入力手段２１に入力される。音声信号入力手段２１は警報音声信号が入力したことを制御手段１９に伝達し、これを認識した制御手段１９は音声信号切換手段２０を音声信号入力手段２１側に接続し、スピーカＳＰは住棟受信機３から出力された警報音声信号による音声警報音を発する。
【００６４】
また、住棟受信機３は火災が発生した旨の報知信号を受信したとき、集合住宅内の報知信号を送信した住戸と同一階及び直上階以外の階にある住戸の住戸用受信機１に対しては、警報制御信号のみを送信し、警報音声信号は出力しない。住棟受信機３から出力された警報制御信号は警報制御信号線路Ｌｂを経由して中継器２に入力され、中継器２の内部で電圧レベル変換され、警報制御信号線路Ｌｂ´を経由して警報制御信号入力手段１７に入力される。警報制御信号入力手段１７は警報制御信号が入力したことを制御手段１９に伝達し、制御手段１９は、このとき音声信号入力手段２１から警報音声信号が入力していない旨の伝達があれば、音声信号切換手段２０を内部音声信号源１５側に接続し、内部音声信号源１５から出力された警報音声信号によってスピーカＳＰを鳴動させる。
【００６５】
なお、警報制御信号線路Ｌｂから中継器２に入力された警報制御信号は、中継器２の内部で全波整流及び平滑化されて警報制御信号線路Ｌｂ´に出力されるようにしてもよい。また警報制御信号線路Ｌｂから中継器２に入力した警報制御信号は、無作為に警報制御信号線路Ｌｂ´に出力されるようにしてもよい。
【００６６】
（実施の形態１２）
本発明の実施の形態１２における自動火災報知システムの構成も、実施の形態１１と同様に図６で表される。ここで、実施の形態１１と異なる点は、火災が発生した旨の報知信号を任意の住戸用受信機１から受信した住棟受信機３は、集合住宅内の報知信号を送信した住戸と同一階及び直上階にあるすべての住戸の住戸用受信機１に対して、警報音声信号線路Ｌｏ，中継器２及び警報音声信号線路Ｌｏ´を通して警報音声信号を送信するとともに、警報制御信号線路Ｌｂ，中継器２及び警報制御信号線路Ｌｂ´を通して警報制御信号も出力する点にある。
【００６７】
そこで、警報音声信号を入力した音声信号入力手段２１は、その旨を制御手段１９に伝達し、それを認識した制御手段１９は、警報制御信号入力手段１７から警報制御信号も入力した旨の伝達があれば、音声信号切換手段２０を音声信号入力手段２１側に接続し、住棟受信機３から出力された警報音声信号によりスピーカＳＰを鳴動させて音声警報音を発する。
【００６８】
なお、集合住宅内の報知信号を送信した住戸と同一階及び直上階以外の階にある住戸の住戸用受信機１に対しては、住棟受信機３は警報制御信号線路Ｌｂ，中継器２及び警報制御信号線路Ｌｂ´を通しての警報制御信号のみを出力し、警報音声信号線路Ｌｏ，中継器２及び警報音声信号線路Ｌｏ´を通しての警報音声信号は出力せず、制御手段１９は音声信号切換手段２０を内部音声信号源１５側に切り換えて、内部音声信号源１５から出力された警報音声信号によってスピーカＳＰを鳴動させる点は実施の形態１１と同じである。
【００６９】
以上の各実施の形態における自動火災報知システムにおいては、集合住宅内のすべての住戸の住民に対して、住戸用受信機１から発する音声警報音により、火災が発生した旨の報知を行うことができ、また住棟受信機３から出力する警報音声信号と住戸用受信機１の内部音声信号源から出力する警報音声信号を異なったメッセージとすることで、火災の発生階を容易に特定することができ、より利便性及び緊急時の安全性の高いシステムが実現できる。
【００７０】
なお、住棟受信機の警報音声信号源は非常放送設備であっても同様に実現可能である。
【００７１】
【発明の効果】
以上説明したように本発明によれば、住棟受信機からの制御により、火災発生時に集合住宅内の各住戸に設備された住戸用受信機のスピーカから発せられる音声警報音を選択することができ、集合住宅内のすべての住戸にわたっての火災の報知が可能となると同時に、出火階を容易に特定することができるという効果を奏するものである。
【図面の簡単な説明】
【図１】本発明の実施の形態１及び２における自動火災報知システムのブロック図
【図２】本発明の実施の形態３及び４における自動火災報知システムのブロック図
【図３】本発明の実施の形態５及び６における自動火災報知システムのブロック図
【図４】本発明の実施の形態７及び８における自動火災報知システムのブロック図
【図５】本発明の実施の形態９及び１０における自動火災報知システムのブロック図
【図６】本発明の実施の形態１１及び１２における自動火災報知システムのブロック図
【図７】従来例の自動火災報知システムのブロック図
【符号の説明】
１  住戸用受信機
２  中継器
３  住棟受信機
１５  内部音声信号源
１６  音声制御信号入力手段
１７  警報制御信号入力手段
１８  音声信号入力手段
１９  制御手段
２０  音声信号切換手段
２１  音声信号入力手段
ＳＰ  スピーカ
ｃ  音声信号切換回路
【図１】
0003916754.tif 000002
【図２】
0003916754.tif 000003
【図３】
0003916754.tif 000004
【図４】
0003916754.tif 000005
【図５】
0003916754.tif 000006
【図６】
0003916754.tif 000007
【図７】
0003916754.tif 000008